(57)【特許請求の範囲】
【請求項１】
光ディスクにレーザービームを照射すると共に、前記光ディスクより得られる戻り光を受光して受光結果を処理することにより、前記光ディスクに記録された情報を再生する光ディスク装置において、
異なる波長により前記レーザービームを出射する第１及び第２の光源と、
前記光ディスクより得られる戻り光を受光する受光素子と、
前記第１及び第２の光源より出射された前記レーザービームを前記光ディスクに集光すると共に、前記光ディスクより得られる戻り光を前記受光素子に導く光学系を備え、
前記第１及び第２の光源、前記受光素子は、
１つのパッケージに一体に収納されてなり、
前記第１及び第２の光源は、
非点収差の量がほぼ一致し、
非点収差による前記レーザービームのビーム断面形状の変形方向がほぼ一致するように、かつ前記光ディスクの半径方向に離間して配置され、
前記光学系は、
前記第１及び第２の光源より出射された前記レーザービームで共通する対物レンズを有する光学系であり、
平行平板の透明部材により形成され、前記第１及び第２の光源より出射された前記レーザービームで共通する非点収差補正手段を有し、
前記光ディスク装置は、
前記第１及び第２の光源からの前記レーザービームの選択的な出力に応動して、前記対物レンズを前記光ディスクの半径方向に変位させる
ことを特徴とする光ディスク装置。
【請求項２】
前記受光素子は、
前記レーザービームの走査方向に対応する第１の方向と、前記第１の方向と直交する第２の方向とに受光面を分割し、該分割された各受光面の受光結果をそれぞれ出力する
ことを特徴とする請求項１に記載の光ディスク装置。
【請求項３】
前記第１及び第２の光源は、
前記レーザービームの走査方向と平行に、又は前記走査方向と直交するように偏光面が設定されてなる
ことを特徴とする請求項１に記載の光ディスク装置。
【発明の詳細な説明】
【０００１】
【発明の属する技術分野】
本発明は、光ディスク装置に関し、例えばＤＶＤ（Digital Video Disk）及びコンパクトディスクを再生する光ディスク装置に適用することができる。本発明は、１つの非点収差補正手段により複数のレーザービームの収差を補正することにより、複数の光源を選択的に使用して光ディスクをアクセスする場合に、簡易な構成により光学特性を向上することができるようにする。
【０００２】
【従来の技術】
従来、光ディスク装置であるコンパクトディスクプレイヤーにおいては、光ピックアップよりコンパクトディスクの情報記録面にレーザービームを照射してその戻り光の受光結果を処理することにより、コンパクトディスクに記録された各種のデータを再生するようになされている。
【０００３】
このような光ピックアップにおいては、発光素子及び受光素子を個別に配置した形式のものと、発光素子及び受光素子を一体化してなる光集積素子を使用したものとが提案されており、後者にあっては、前者に比して全体形状を小型化することができ、また信頼性を向上することができる。
【０００４】
このような光ピックアップにおいては、レーザービームの走査方向に対してレーザービームの偏光面がほぼ４５度の角度を形成するようにレーザーダイオードが配置され、これにより何らレーザービームの非点収差を補正しなくても、光学特性の劣化によるジッターの増大を防止することができるようになされている。
【０００５】
【発明が解決しようとする課題】
ところで光集積素子を使用する場合にあっては、全体形状を小型化、簡略化できることにより、ＤＶＤを再生する光ディスク装置においても、光集積素子を用いて光ピックアップを構成することができれば便利であると考えられる。さらにこのようなＤＶＤ用の光ディスク装置においても、コンパクトディスクを再生することができれば、便利であると考えられる。
【０００６】
この場合、ＤＶＤ用の発光素子及び受光素子、コンパクトディスク用の発光素子及び受光素子を一体化して光集積素子を構成することにより、コンパクトディスクとＤＶＤとを再生可能な光ディスク装置を構成できると考えられる。
【０００７】
ところがコンパクトディスクにあっては、ピットの深さがλ／８波長であるのに対し、ＤＶＤにあっては、ピットの深さがλ／４波長であることにより、ＤＶＤを再生する光ディスク装置においては、コンパクトディスクと同様の方式によりトラッキングエラー信号を検出困難で、例えばいわゆるＤＰＤ（Differencial Phase Detection）法によりトラッキングエラー信号を生成する必要がある。このＤＰＤ法にあっては、レーザービームの走査方向に対してレーザービームの偏光面が平行または垂直になるようにレーザーダイオードを配置することが必要になる。
【０００８】
また光集積素子の内部空間を有効に利用するためにも、レーザービームの走査方向に対してレーザービームの偏光面が平行または垂直になるようにレーザーダイオードを配置することが望まれる。
【０００９】
ところがこのようにすると光ディスク装置においては、光学特性が劣化する問題がある。
【００１０】
本発明は以上の点を考慮してなされたもので、複数の光源を選択的に使用して光ディスクをアクセスする場合に、簡易な構成により光学特性を向上することができる光ディスク装置を提案しようとするものである。
【００１１】
【課題を解決するための手段】
かかる課題を解決するため請求項に係る発明においては、光ディスク装置に適用して、第１及び第２の光源は、非点収差によるレーザービームのビーム断面形状の変形方向がほぼ一致するように配置されるようにし、光学系は、第１及び第２の光源より出射されたレーザービームで共通する光学系であり、第１及び第２の光源より出射されたレーザービームで共通する非点収差補正手段を有するようにする。また第１及び第２の光源を光ディスクの半径方向に離間して配置し、第１及び第２の光源からのレーザービームの選択的な出力に応動して、対物レンズを光ディスクの半径方向に変位させる。
【００１２】
請求項１又は請求項５に係る構成により、第１及び第２の光源が、非点収差によるレーザービームのビーム断面形状の変形方向がほぼ一致するように配置され、光学系が、第１及び第２の光源より出射されたレーザービームで共通する光学系であり、第１及び第２の光源より出射されたレーザービームで共通する非点収差補正手段を有するようにすれば、簡易な非点収差補正手段により複数の光源より出射されるレーザービームの非点収差をまとめて補正することができ、その分簡易な構成により光学特性を向上することができる。
【００１３】
【発明の実施の形態】
以下、適宜図面を参照しながら本発明の実施の形態を詳述する。
【００１４】
（１）実施の形態の構成
図１は、本発明の実施の形態に係る光ディスク装置の光学系を示す断面図である。この光ディスク装置１は、ＤＶＤである光ディスク２Ａに記録されたデータ、コンパクトディスク２Ｂに記録されたデータを再生する。
【００１５】
ここでコンパクトディスク２Ｂは、板厚１．２〔ｍｍ〕の透明基板を介して情報記録面にレーザービームを照射して得られる戻り光を処理して記録されたデータを再生できるようになされた光ディスクである。これに対してＤＶＤ２Ａは、板厚０．６〔ｍｍ〕の透明基板を介して情報記録面にレーザービームを照射して得られる戻り光を処理して記録されたデータを再生できるようになされた光ディスクである。
【００１６】
この光ディスク装置１において、光ピックアップ３は、所定のスレッド機構により光ディスクの半径方向に可動できるように配置される。光ピックアップ３は、光集積素子４より出射したレーザービームを非点収差補正板５、コリメータレンズ６、アパーチャー７、対物レンズ８を介して光ディスク２Ａ又は２Ｂに照射し、またこの光ディスク２Ａ又は２Ｂより得られる戻り光を対物レンズ８、アパーチャー７、コリメータレンズ６、非点収差補正板５を介して光集積素子４に入射する。
【００１７】
光ディスク装置１は、この光集積素子４における戻り光の受光結果を処理してトラッキングエラー信号、フォーカスエラー信号、再生信号を生成する。光ディスク装置１は、これらトラッキングエラー信号及びフォーカスエラー信号に基づいて対物レンズ８を可動してトラッキング制御及びフォーカス制御し、また再生信号を処理して光ディスク２Ａ、２Ｂに記録されたデータを再生する。
【００１８】
ここで光集積素子４は、コンパクトディスク用の発光素子及び受光素子、ＤＶＤ用の発光素子及び受光素子をパッケージに一体に集光して構成される。光集積素子４は、これら各発光素子を構成する半導体レーザーダイオードチップが光ディスク２Ａ、２Ｂの半径方向に約１００〔μｍ〕の間隔により離間して配置され、図示しないシステムコントローラの制御により、光ディスク２Ａ、２Ｂに応じてこれら２つの半導体レーザーダイオードチップを選択的に駆動することにより、各光ディスク２Ａ、２Ｂに対応する波長のレーザービームを光ディスク２Ａ、２Ｂに向けて選択的に出射し、また対応する受光素子により戻り光を受光する。
【００１９】
非点収差補正板５は、平行平板の透明板状部材であり、レーザービームの光軸に対して斜めに傾いてレーザービームの光路中に配置される。非点収差補正板５は、レーザービームの非点収差と等しい非点収差量であって、このレーザービームの非点収差を打ち消す方向に非点収差を与えるように、その傾き、板厚等が選定されるようになされている。これにより非点収差補正板５は、異なる波長のレーザービームの非点収差をそれぞれ補正する。
【００２０】
コリメータレンズ６は、この非点収差補正板５を透過したレーザービームを略平行光線に変換して出射する。
【００２１】
アパーチャー７は、透明板状部材に誘電体膜を蒸着して中心に円形形状の開口が形成される。アパーチャー７は、この開口を囲む部分に誘電体膜が形成され、この誘電体膜が、コンパクトディスク用レーザービームの波長である波長７８０〔ｎｍ〕の光を選択的に遮光し、またＤＶＤ用レーザービームの波長である波長６５０〔ｎｍ〕の光を透過するフィルタを構成するようになされている。これによりアパーチャー７は、コンパクトディスク用レーザービームについては、この開口により決まるビーム径によりビーム形状を整形して透過するのに対し、ＤＶＤ用レーザービームについては、何らビーム形状を変化させることなく透過するようになされている。
【００２２】
対物レンズ８は、透明樹脂を射出成形して作成された非球面のプラスチックレンズであり、この透明樹脂の屈折率と、各レンズ面の形状の選択により、ほぼ平行光線により入射するＤＶＤ用レーザービーム、コンパクトディスク用レーザービームに対して、それぞれ対応する光ディスク２Ａ、２Ｂの情報記録面に対応するレーザービームを集光できるようになされている。これにより対物レンズ８は、ＤＶＤ用レーザービーム、コンパクトディスク用レーザービームに対応するいわゆる２焦点レンズを構成するようになされている。
【００２３】
さらに対物レンズ８は、ボイスコイルモータ構成によるアクチュエータにより光ディスク２Ａ、２Ｂの半径方向、光軸に沿った方向に可動するように構成され、これによりトラッキングエラー信号、フォーカスエラー信号に応じてこのアクチュエータを駆動してトラッキング制御、フォーカス制御できるようになされている。
【００２４】
このトラッキング制御において、対物レンズ８は、コンパクトディスク２Ｂを再生する場合、光集積素子４において発光素子が離間して配置されてなる分、アクチュエータにより光ディスク２Ｂの半径方向にオフセットして可動し、これによりコンパクトディスク２Ｂを再生する際における光学系の特性劣化を防止するようになされている。
【００２５】
マトリックス演算回路９は、光集積素子４より出力される受光結果をマトリックス演算処理することにより、トラッキングエラー量に応じて信号レベルが変化するトラッキングエラー信号ＴＥ、フォーカスエラー量に応じて信号レベルが変化すフォーカスエラー信号ＦＥ、ピット列に応じて信号レベルが変化する再生信号ＲＦを生成する。このときマトリックス演算回路９は、それぞれＤＶＤ用、コンパクトディスク用にこれらトラッキングエラー信号等を生成する。
【００２６】
図２（Ａ）は、光集積素子４をレーザービームの出射方向より見て示す平面図であり、図２（Ｂ）は、この光集積素子４を光ディスク２Ａ、２Ｂの円周接線方向に断面を取って示す断面図である。光集積素子４は、半導体基板１７上にプリズム１４、半導体レーザーダイオードチップ１５Ａ及び１５Ｂを配置して光学系１６が形成され、この光学系１６をパッケージ１８に収納して配線した後、透明封止部材であるリッドガラス１９により封止して作成される。
【００２７】
ここで半導体レーザーダイオードチップ１５Ａ及び１５Ｂは、光ディスク２Ａ、２Ｂの半径方向に約１００〔μｍ〕の距離だけ離間して配置され、それぞれＤＶＤに対応する波長６５０〔ｎｍ〕によるＤＶＤ用レーザービーム、コンパクトディスクに対応する波長７８０〔ｎｍ〕のコンパクトディスク用レーザービームをプリズム１４に向けて出射する。また半導体レーザーダイオードチップ１５Ａ及び１５Ｂは、光ディスク２Ａ、２Ｂの受光面において、偏光面がレーザービームの走査方向と平行になるように、又はこの走査方向と直交する方向になるように配置される。また半導体レーザーダイオードチップ１５Ａ及び１５Ｂは、例えば選別により非点収差の発生量がほぼ等しいものが対により配置され、さらに非点収差によるレーザービームのビーム断面形状の変形方向がほぼ一致するように配置される。これにより光ディスク装置１では、１つの非点収差補正板５によりこれら２つの光源より出射されるレーザービームについて、それぞれ非点収差を補正できるようになされ、またＤＶＤを再生する場合にはＤＰＤ法によりトラッキングエラー信号を検出できるようになされている。
【００２８】
プリズム１４は、レーザービームと戻り光とを分離する光学素子であり、一の側面に斜面を有する略長方形形状に形成される。プリズム１４は、半導体レーザーダイオードチップ１５Ａ及び１５Ｂより出射されるレーザービームをこの斜面により反射してコリメータレンズ５に向けて出射し、またこのレーザービームの光路を逆に辿って入射する戻り光をこの斜面より内部に導く。
【００２９】
プリズム１４は、この斜面より入射した戻り光が下面に入射し、ここで約５０〔％〕の光量を透過し、残る光量の戻り光を上面に向けて反射する。さらにプリズム１４は、この上面にて、戻り光を下面に向けてほぼ１００〔％〕反射し、この上面で反射した戻り光を下面より出射する。
【００３０】
プリズム１４は、このため蒸着により上面にミラー面が形成され、また下面の斜面側（以下フロント側と呼ぶ）及び斜面より遠ざかった側（以下リア側と呼ぶ）より出射される戻り光の光量比がほぼ１：１になるように、同様の蒸着の処理により、フロント側下面にビームスプリッタ面、反射防止面が形成される。
【００３１】
半導体基板１７においては、プリズム１４からＤＶＤ用レーザービームによる戻り光、コンパクトディスク用レーザービームによる戻り光が入射する部分に、それぞれＤＶＤ用の受光面２５Ａ及び２６Ａ、コンパクトディスク用の受光面２５Ｂ及び２６Ｂが形成される。
【００３２】
図３において、これら受光面を部分的に拡大して示すように、光集積素子４は、ジャストフォーカスの状態で、このようにしてプリズム１４を透過する戻り光により半導体基板１７上に形成されるビームスポット形状が、リア側ではほぼ焦線形状となるように、またフロント側ではリア側の焦線延長方向と直交する方向に長軸を有する楕円形状となるように、半導体レーザーダイオードチップ１５Ａ、１５Ｂの向き、プリズム１４の大きさ等が選定されるようになされている。
【００３３】
コンパクトディスク側の受光面２５Ｂ及び２６Ｂは、コンパクトディスクの円周接線方向に並んでそれぞれ略長方形形状に形成され、この円周接線方向に延長する分割線によりコンパクトディスクの半径方向に分割されて形成される。受光面２５Ｂ及び２６Ｂは、これによりジャストトラッキングの状態で、各受光面に形成されるビームスポットをコンパクトディスクの半径方向に４分割して受光するようになされ、分割された各受光面の受光結果をそれぞれ出力するようになされている。なお以下において、このようにして分割された小さな受光面について、フロント側の外側については符号ｍ及びｐにより、フロント側の内側については、符号ｎ及びｏにより示す。またリア側の外側については、符号ｑ及びｔにより、リア側の内側については符号ｒ及びｓにより示す。
【００３４】
これに対してＤＶＤ側の受光面２５Ａ及び２６Ａは、同様に光ディスク２Ａの円周接線方向に並んでそれぞれ略長方形形状に形成され、リア側の受光面２６Ａは、コンパクトディスク用のリア側受光面２６Ｂと同様に作成される。
【００３５】
これに対してフロント側の受光面２５Ａは、コンパクトディスク用のフロント側受光面２５Ｂにおける構成に加えて、さらに光ディスクの円周接線方向に受光面が２分割されるようになされている。これにより半導体基板１７においては、いわゆるＤＰＤ法によりトラッキングエラー信号を生成できるようになされている。なお以下において、このようにして分割されたＤＶＤ側の小さな受光面について、フロント側の外側、斜面側については符号ａ及びｄにより、フロント側の内側、斜面側については、符号ｂ及びｃにより示す。フロント側の外側、斜面より遠い側については符号ｅ及びｈにより、フロント側の内側、斜面より遠い側については、符号ｆ及びｇにより示す。またリア側の外側については、符号ｉ及びｌより、リア側の内側については符号ｊ及びｋにより示す。
【００３６】
半導体基板１７は、これら分割された各受光面ａ〜ｔの受光結果を電流電圧変換処理した後、演算処理して出力し、マトリックス演算回路９においては、この演算出力をさらに演算処理してトラッキングエラー信号、フォーカスエラー信号、再生信号を生成する。
【００３７】
すなわちコンパクトディスク用にあっては、フロント側及びリア側受光面２５Ｂ及び２６Ｂにおいて、それぞれ内側受光面及び外側受光面間で差分信号を生成し、さらにこの差分信号をフロント側及びリア側で減算することにより、（ｍ＋ｐ＋ｒ＋ｓ）−（ｎ＋ｏ＋ｑ＋ｔ）により表されるフォーカスエラー信号を生成する。またフロント側及びリア側受光面２５Ｂ及び２６Ｂにおいて、それぞれ内周側受光面及び外周側受光面間で差分信号を生成し、さらにこの差分信号をフロント側及びリア側で加算することにより、（ｍ＋ｎ＋ｓ＋ｔ）−（ｏ＋ｐ＋ｑ＋ｒ）により表されるトラッキングエラー信号を生成する。またフロント側及びリア側受光面２５Ｂ及び２６Ｂにおいて、全ての受光結果を加算することにより、（ｍ＋ｎ＋ｏ＋ｐ＋ｑ＋ｒ＋ｓ＋ｔ）により表される再生信号を生成する。
【００３８】
これに対してＤＶＤ側にあっては、同様にして、（ａ＋ｄ＋ｅ＋ｈ＋ｊ＋ｋ）−（ｂ＋ｃ＋ｆ＋ｇ＋ｉ＋ｌ）により表されるフォーカスエラー信号、（ａ＋ｂ＋ｃ＋ｄ＋ｅ＋ｆ＋ｇ＋ｈ＋ｉ＋ｊ＋ｋ＋ｌ）により表される再生信号を生成する。これに対して図４に示すように、ＤＶＤ用のトラッキングエラー信号ＴＥについては、受光面２５Ａ及び２６Ａの並び方向に分割された受光面のグループ毎に、それぞれ光ディスク２Ａの内周側及び外周側に対応する各２つの受光面部の受光結果を加算回路４２Ａ〜４２Ｄによりそれぞれ加算し、これによりこれらグループについて、内周側及び外周側の受光光量を検出する。さらに位相比較回路４３Ａ及び４３Ｂにより、それぞれ各グループ毎に、内周側及び外周側の受光結果を位相比較した後、加算回路４４により加算してトラッキングエラー信号ＴＥを生成する。
【００３９】
（３）実施の形態の動作
以上の構成において、光ディスク装置１は（図１）、光ピックアップ３において、光ディスク２Ａ、２Ｂにレーザービームを照射してその戻り光を受光し、所定の信号処理回路によりこの戻り光の受光結果を処理することにより、光ディスク２Ａ、２Ｂに記録された情報が再生される。
【００４０】
すなわち光ディスク装置１において、光ピックアップ３は、光集積素子４よりレーザービームが出射され、このレーザービームがコリメータレンズ６により略平行光線に変換された後、アパーチャー７を透過して対物レンズ８に導かれ、この対物レンズ８により光ディスク２Ａ、２Ｂの情報記録面に集光される。またこのレーザービームの照射により得られる戻り光が対物レンズ８により受光されて光集積素子４に入射され、この光集積素子４により戻り光の受光結果が得られる。
【００４１】
光ディスク装置１では、この戻り光の受光結果よりトラッキングエラー信号ＴＥが生成され、このトラッキングエラー信号ＴＥが所定の信号レベルになるようにサーボ回路により対物レンズ７が光ディスク２Ａ、２Ｂの半径方向に可動されてトラッキング制御される。また同様にしてフォーカスエラー信号が生成され、このフォーカスエラー信号が所定の信号レベルになるように、対物レンズ７が上下方向に可動され、これによりフォーカス制御される。
【００４２】
すなわちこの光ディスク装置１に装填された光ディスクがＤＶＤ２Ａの場合、光ディスク装置１では、光集積素子４において、光ディスク２Ａ、２Ｂの半径方向に並んで配置された半導体レーザーダイオードチップ１５Ａ及び１５Ｂ（図３）のうちの、ＤＶＤ用の半導体レーザーダイオードチップ１５Ａより選択的にレーザービームが出射され、このレーザービームがＤＶＤ２Ａに照射される。またこのＤＶＤ２Ａからの戻り光がプリズム１４を介してＤＶＤ用の受光面２５Ａ及び２６Ａにより受光される。
【００４３】
これに対して光ディスク装置１に装填された光ディスクがコンパクトディスク２Ｂの場合、光ディスク装置１では、半導体レーザーダイオードチップ１５Ａ及び１５Ｂ（図３）のうちの、コンパクトディスクの半導体レーザーダイオードチップ１５Ｂより選択的にレーザービームが出射され、このレーザービームがコンパクトディスク２Ｂに照射される。またこのコンパクトディスク２Ｂからの戻り光がプリズム１４を介してコンパクトディスク用の受光面２５Ｂ及び２６Ｂにより受光される。
【００４４】
さらにこれらの受光結果がマトリックス演算回路９により処理されて、それぞれコンパクトディスク用、ＤＶＤ用の再生信号ＲＦ、トラッキングエラー信号ＴＥ、フォーカスエラー信号ＦＥが生成される。
【００４５】
このようにして各レーザービームを選択的に出射して光ディスク２Ａ、２Ｂをアクセスするにつき、光ディスク装置１では、平行平板の透明板状部材である非点収差補正板５がレーザービームの光路中に斜めに傾いて配置され、この非点収差補正板５によりそれぞれレーザービームの非点収差が補正される。
【００４６】
この非点収差の補正において、光ディスク装置１では、ディスク表面で偏光面がレーザービームの走査方向と平行又は垂直になるように、また非点収差によるレーザービームのビーム断面形状の変形方向がほぼ一致するように、非点収差の発生量がほぼ等しい半導体レーザーダイオードチップ１５Ａ及び１５Ｂが対により配置されていることにより、１枚の非点収差補正板５を共通に使用して２つのレーザービームの非点収差を補正して、簡易な構成により光学特性を向上することができる。
【００４７】
これにより光ディスク装置１においては、レーザービームの走査方向に対してレーザービームの偏光面が平行または垂直になるように半導体レーザーダイオードチップ１５Ａ及び１５Ｂを配置でき、ＤＶＤについてはＤＰＤ法によりトラッキングエラー信号を生成することが可能となり、また光集積素子の内部空間を有効に利用して光集積素子４の大型化を防止することができる。
【００４８】
（３）実施の形態の効果
以上の構成によれば、光ディスクの半径方向に離間して配置された光源である半導体レーザーダイオードチップより選択的にレーザービームを照射して共通の光学系により光ディスクに集光するにつき、１つの非点収差補正手段によりこれらレーザービームの収差を補正することにより、簡易な構成により光学特性を向上することができる。
【００４９】
（４）他の実施の形態
なお上述の実施の形態においては、平行平板の透明板状部材を斜めに配置して非点収差補正手段を構成する場合について述べたが、本発明はこれに限らず、シリンドリカルレンズ、ホログラム、フレネルレンズ等を配置して非点収差補正手段を構成してもよい。またカップリングレンズ等を使用する場合にあっては、このカップリングレンズ等に非点収差発生手段を構成してもよい。
【００５０】
また上述の実施の形態においては、レーザービームの切り換えに連動させて対物レンズを変位させる場合について述べたが、本発明はこれに限らず、光学系全体を変位させるようにしてもよく、また実用上十分な特性が得られる場合には、変位を省略してもよい。
【００５１】
また上述の実施の形態においては、ＤＶＤ用及びコンパクトディスク用で受光面を専用に構成する場合について述べたが、本発明はこれに限らず、受光面を共通に構成する場合にも広く適用することができる。
【００５２】
また上述の実施の形態においては、コンパクトディスクとＤＶＤとを再生する場合について述べたが、本発明はこれに限らず、例えばコンパクトディスクとＣＤ−Ｒをアクセスする場合等に広く適用することができる。
【００５３】
また上述の実施の形態においては、２種類の光ディスクをアクセスする場合について述べたが、本発明はこれに限らず、複数種類の光ディスクをアクセスする場合に広く適用することができる。
【００５４】
また上述の実施の形態においては、発光素子と受光素子とを一体化した光集積素子により光ピックアップを構成する場合について述べたが、本発明はこれに限らず、発光素子と受光素子とを別体に配置する場合にも広く適用することができる。
【００５５】
【発明の効果】
上述のように本発明によれば、１つの非点収差補正手段により複数のレーザービームの収差を補正することにより、複数の光源を選択的に使用して光記録媒体をアクセスする場合に、簡易な構成により光学特性を向上することができる。
【図面の簡単な説明】
【図１】本発明の実施の形態に係る光ディスク装置を示す断面図である。
【図２】図１の光ディスク装置に適用される光集積素子を示す平面図及び断面図である。
【図３】図２の光集積素子の受光面を示す平面図である。
【図４】図２の光集積素子によるトラッキングエラー信号の生成の説明に供するブロック図である。
【符号の説明】
１……光ディスク装置、２Ａ、２Ｂ……光ディスク、３……光ピックアップ、４…………光集積素子、５……非点収差補正板、５……コリメータレンズ、６……アパーチャー、７……対物レンズ、１４……プリズム、１５Ａ、１５Ｂ……半導体レーザーダイオードチップ、２５Ａ、２５Ｂ、２６Ａ、２６Ｂ…………受光面
【図１】
0004126799.tif 000002
【図２】
0004126799.tif 000003
【図３】
0004126799.tif 000004
【図４】
0004126799.tif 000005